【手続補正書】
【提出日】平成17年2月22日(2005.2.22)
【手続補正１】
【補正対象書類名】明細書
【補正対象項目名】全文
【補正方法】変更
【補正の内容】
【書類名】      明細書
【発明の名称】  ゴルフボール及びパターの整列用組合せ
【特許請求の範囲】
【請求項１】
赤道から等距離にあるトップポールと底ポールを有する表面を持ち、；
前記トップポールは適正に整列されたとき、地面に直角となるような印を持ち、
前記トップポール印に対して対向する二つの等しい部分に分割され、ゴルフボールの周囲の少なくとも８分の１にわたって延びるようにしてトップポール印を二分する、第１の線からなる第１の整列用印を持ち、；
前記第１の線に対して垂直で、ゴルフボールの周囲の少なくとも８分の１にわたって延び、０．４５０インチから０．５５０インチの曲率半径を持つ第２の線からなる第２の整列用印を持ち；
前記第１の線は前記第２の線の中間に位置している、ゴルフボールと、
フェースと、クラウンと、ソールと、トオエンドと、ヒールエンドと、頂部表面と底部表面を持つ後方に延びるフランジと、ヒールエンド上に配置されるホーゼルと、前記ホーゼルを通ってボディに取り付けられるシャフトとを有し、前記クラウンは前記フェースと平行に延びる整列用線を持つパターと、を有し、
前記第１の整列用線とカップとの整列と；前記ポール印を地面に垂直にする適正な整列と；パターの整列用線とゴルフボールの第２の線との整列により、より正確なパットを可能とする、
ゴルフボールとパターの組合せ。
【請求項２】
ゴルフボールの整列用印の前記第１の線と前記第２の線はそれぞれ０．０７５乃至０．１４０インチの範囲の幅を有する請求項１に記載の組合せ。
【請求項３】
赤道から等距離にあるトップポールと底ポールを持つ表面を有するゴルフボール、
前記トップポールは適正に整列されたとき、地面に直角となるような印を持ち、
ゴルフボールのポールに沿って延び、トップポール印を二分し、１．００インチから１．５インチの範囲の長さを持つ経線部分と、
前記経線部分に垂直であって、０．５０インチから２．０インチの範囲の長さを持ち、前記経線部分が中点で交差する緯線部分と、を持つゴルフボールと、
フェースと、クラウンと、ソールと、トオエンドと、ヒールエンドと、ヒールエンドに配置されたホーゼルとを持つボディを有し、前記ホーゼルを通り前記ボディに取付けられたシャフトを持つパター、とを有し、
トップポール印を地面に対する垂直にする整列と、前記パターのフェースと前記ゴルフボールの緯線部分との位置合せにより正確なパットを可能とする、
ゴルフボールとパターの組合せ。
【請求項４】
ゴルフボールの前記整列用印の前記経線部分と緯線部分の各々は文字又は記号からなるロゴ表示である請求項３に記載の組合せ。
【発明の詳細な説明】
【０００１】
発明の属する技術分野
本発明は、ゴルフボール及びパターのための整列発明に関する。より具体的には、本発明は、整列用印を有するゴルフボール及び対応する整列用印を有するパターに関する。
発明の背景
パッティングは、ゴルフというゲームの最も難しい部分でないとしても、とても難しい。グリーン上の穴にゴルフボールをパットすることを試みるときに、ゴルファーは、ゴルフボールの方向を穴と一直線にすることを試みて、穴に向かってパットする。しかしながら、ゴルファーは、ゴルフボールをパットする正確な方向が曲げられた視覚的認識を持っている。
【０００２】
ゴルフ産業界は、パッティング及びゴルフボールと穴を整列させることによってゴルファーを援助するために、従来において整列用装置を提供してきた。一つの例が、米国特許第４，９２８，９７１号の「Ａｌｉｇｎｍｅｎｔ  Ｓｙｓｔｅｍ」であり、第１のライン、第１のラインと垂直の第２のライン及び円錐形のくぼみを含むパター上に印をつけることを開示する。
【０００３】
別の例は、米国特許第５，５６４，９９０号及びｗｗｗ．ｓｅｅｍｏｒｅ．ｃｏｍに開示されているＳＥＥＭＯＲＥ（登録商標）である。ＳＥＥＭＯＲＥ（登録商標）パターの一直線印をつけることは、ゴルファーが適切に一直線にした場合に視野からさえぎる円形マーキングに境する２つの平行線を含む。
【０００４】
更に別の例は、米国特許第５，１７４，５７３号の「Ｐｕｔｔｅｒ  Ｈａｖｉｎｇ  Ａ  Ｈｅａｄ  Ｗｉｔｈ  Ｂａｌｌ−Ｃｅｎｔｅｒｉｎｇ  Ｉｎｄｉｃａ」であり、パターのクラウン上に曲線のある照合が開示されている。別の例が、Ｉｎｏｕｅの米国特許第４，７０６，９５８号である。Ｉｎｏｕｅは、ゴルフボールの上に印をつけることによって重心の方向におけるストロークを可能とするゴルフボールを開示する。
【０００５】
しかしながら、従来技術は、より正確なパッティングを考慮したゴルフボール及びパターの結合を開示していない。
発明の開示
本発明は、ゴルフの規則から逸脱することなくより正確なパッティングをする解決を提供するものである。本発明は、ゴルファーが穴に向かった方向において適切にボールを位置するために、ゴルフボールに整列用印をつける。ゴルフボールは、適切なパッティングのためのパターのフェイスと整列させるための印がつけられる。
【０００６】
本発明のある面は、パット中の適切な整列のためのゴルフボールとパターの組合せである。ゴルフボールは整列用印を備えた表面を有する。整列用印は、ゴルフボールの円周の少なくとも８分の１にわたり延びている第１の線と、第１の線に対して垂直でゴルフボールの円周の少なくとも８分の１にわたり延びている第２の線を含む。第１の線は、第２の線の中部に位置されている。パターは、フェイス、クラウン、ソール、トゥ端、ヒール端、頂面と共に後へ広がって延びているフランジ、及び底面を備えた本体、及びヒール端に設けられたホーゼルを備える。パターはまた、ホーゼルを介して本体に取り付けられたシャフトを備える。クラウンは、フェイスと平行に延びている第１の整列用線及びフランジの頂面に設けられた第２の整列用線を備える。第２の整列用線は、第１の整列用線に対して垂直である。パターの第１の整列用線と、ゴルフボールの第２の整列用線は、より正確なパットという結果をもたらすであろう。
【０００７】
本発明の別の面は、パターと共に実用される整列用印を備えたゴルフボールである。ゴルフボールは、整列用印を備えた表面を有する。整列用印は、ゴルフボールのポールに沿って延びている経線部分を含み、１．００乃至１．５インチの範囲の長さを備える。整列用印はまた、経線に対して垂直であって、０．５０乃至２．０インチの範囲の長さを備える緯線を含む。経線区分は、緯線区分の中点と交差している。パターは、フェイス、クラウン、ソール、トゥ端、ヒール端、及びヒール端上に設けられたホーゼルを備えた本体を有する。パターはまた、ホーゼルを介して本体に取り付けられたシャフトを備える。パターのフェイスの整列及びゴルフボールの緯線区分はより正確なパットという結果をもたらすであろう。
本発明の最良の実施形態
図１に示されるように、本発明の組合せ２０は、符号２０で示される。組合せ２０は、ゴルフボール２２及びパター２４を含み、それらは、ゴルフボール２２を穴により正確にパットするための手段を典型的なゴルファーに提供するために、整列用印２６及び２８が付けられている。ゴルフボール２２は典型的なゴルフボールであってもよく、ＵＳＧＡの規則がそのようなゴルフボールの直径を規定するため、望ましくは約１．６８インチ以上の直径を備える。しかしながら、当業者は、本発明の範囲及び精神から逸脱せずに、より小さい直径のゴルフボールを使ってもよい。
【０００８】
ゴルフボール２２は、望ましくは白い表面を備えるが、ゴルフボール２２の表面として他の色を使ってもよい。ゴルフボール２２は望ましくは３−ピースの中身のあるゴルフボールであるが、２−ピース、４−ピース、巻き上げ、中空コア、及び液体充填コアゴルフボールもまた、本発明の実行のために使ってもよい。ゴルフボール２２のカバーは、イオノマー、バラタゴム（トランスポリイソプレン）、ポリウレタン、又は類似の重合体材料から成ってもよい。カバーは典型的には、ベースコート（典型的には顔料が付けられている）及び／又はクリアトップコートによってコーティングされている。
【０００９】
整列用印２６は、ゴルフボール２２の表面に印刷されている。整列用印２６は、望ましくは整列用印２６の上方に適用されたトップコートを備えたベースコート上に印刷されている。しかしながら、別の実施形態では、整列用印２６は、ゴルフボール２２のトップコート上に印刷されている。
【００１０】
整列用印２６は、経線区分３０及び緯線区分３２から成り、オプション的には、ポール印３４からも成る。経線区分３０は典型的には、ゴルフボール２２のポール３３を横切った直線である。ポール印３４は、ゴルフボール２２の頂部に表示するためにポール３３上に印刷されている。ゴルフボール２２は、トップポール３３及び図示されない底ポール３３ａを備え、これらはゴルフボール２２の赤道３５から等距離である。赤道３５は、典型的には、ゴルフボール２２の継ぎ目上にあり、ゴルフボール２２のプロセス中の分離成形後にゴルフボール２２上に残っている成形残物の赤道磨きを表示したものである。
【００１１】
図１２に示されるように、経線区分３０は、望ましくはゴルフボール２２のポール３３を横切って１．００乃至１．５インチ延出しており、ポール３３によって望ましくは２つの等部分に分割されている。経線区分３０の望ましい長さは、１．３５インチであり、ゴルフボールのトップポール３３上において経線区分３０において中間点を有する。経線区分３０は、ゴルファーに、グリーン上の穴とゴルフボール２２とを整列させる視覚的直線を提供する。更に、ポール印３４は、ゴルフボール２２が、ゴルフボール２２の極頂、即ち、地面に対して垂直のトップポール３３に置かれることを許容するものである。
【００１２】
緯線区分３２は、望ましくは０．５乃至２．０インチの範囲の長さにある。緯線区分及び経線区分の双方は、０．０７５乃至０．１４０インチの範囲にある。視覚的に、緯線区分３２は経線区分３０と垂直又は実質的に垂直にある。視覚的には、緯線区分３２は、パター２４の整列用印２８と平行又は実質的に平行にある。緯線区分３２は、パター２４でゴルフボール２２を打撃するための視覚的直線を提供するものであり、これによって、望ましくは直線的なパットを提供することができる。
【００１３】
しかしながら、図１３に示すように、緯線区分３２は、赤道３５の平面から見たときにゴルフボール２２の球状の表面に沿って湾曲している。緯線区分３２の曲率半径「Ｒ」は、望ましくは０．４５０乃至０．６５０インチの範囲にあり、望ましい半径は０．５５０インチの曲率半径である。
【００１４】
ゴルフボール２２の曲率は、整列用印２６中の多様性、特に、緯線区分３２を考慮している。本発明のゴルフボール２２の一つの実施形態が図２乃至４に示されている。図２はゴルフボール２２の正面図であり、図３は９０度回動されたゴルフボール２２の図であり、図４は更に９０度回動されたゴルフボールの図である。この実施形態では、第１の緯線区分３２ａによって交差された第１の経線区分３０ａがある。ゴルフボール２２はまた、ゴルフボール２２の起源を指定するためにゴルフボール２２に印刷された典型的なマーキングを含む第１のロゴ印３６ａを備える。ゴルフボール２２はまた、第２のロゴ印３６ｂに沿って、第１の緯線区分３２ｂによって交差された第２の経線区分３０ｂがある。第１及び第２の緯線区分３２ａ−ｂは、第１及び第２の経線区分３０ａ−ｂを夫々交差する中点を備えた半円である。パッティング中、直接上から見たときにゴルファーは、図３に示されるこの実施形態のゴルフボール２２を位置づける。このように、湾曲された緯線区分３２ａは、直線として現れる。緯線区分３２は、上から直線として見られるがパター２４のフェイス２９に近くなるように位置づけられる。
【００１５】
本発明のゴルフボール２２の別の実施形態は、図５乃至図７に示される。図５はゴルフボール２２の正面図であり、図６は９０度回動されたゴルフボール２２の図であり、図７は更に９０度回動されたゴルフボールの図である。この実施形態では、第１の経線区分３０ａが、第１の緯線区分３２ａ及び第２の緯線区分３２ｂを交差する。ゴルフボール２２はまた、第１の緯線区分３２ａによって囲まれた第１のロゴ印３６ａを備える。ゴルフボール２２はまた、第１の緯線区分３２ａ及び第２の緯線区分３２ａ−ｂを交差する第２の経線区分３０ｂを備える。第２の緯線区分３２ｂは、第２のロゴ印３６ｂを囲む。第１及び第２の緯線区分３２ａ−ｂは、互いに１８０度離れた点にある第１及び第２の経線区分３０ａ−ｂを夫々交差する円である。パッティング中、直接上から見たときにゴルファーは、図６に示されるこの実施形態のゴルフボール２２を位置づける。このように、円形の緯線区分３２ａは、直線として現れる。
【００１６】
本発明のゴルフボール２２の別の実施形態は、図８乃至図１１に示される。図８及び図９のゴルフボール２２は、ロゴ印を経線区分３０及び緯線区分３２のために用いる。このような実施形態では、ロゴ印は、経線区分３０及び緯線区分３２を創るために位置づけられた文字及び／又はシンボルから成る。図１０及び図１１のゴルフボール２２は、経線区分３０及び緯線区分３２用の線を有するポール印３４を用いる。当業者は、本発明の範囲及び精神を逸脱しない範囲で整列用印２６の他の多様性を認識するであろう。
【００１７】
整列用印２６の適用は、望ましくは、紫外線治癒可能インキを用いるパッド−印刷系の使用を通じて得ることができる。しかしながら、当業者は、本発明の範囲及び精神を逸脱しない範囲で他の印刷系を整列用印２６へ適用するであろう。
【００１８】
図１を参照するに、パター２４は典型的にはフェイス３９、ホーゼル４０、クラウン４２、ヒール端４６、トゥ端４８及びソール５０から成る。パターは、ブレーダー・タイプ・パター又はＣａｌｌａｗａｙ  Ｇｏｌｆ  Ｃｏｍｐａｎｙ  ｏｆ  Ｃａｒｌｓｂａｄ，  ＣａｌｉｆｏｒｎｉａのＯＤＹＳＳＥＹ（登録商標）パターの如きインサート・タイプ・パターであってもよい。整列用印２８は、クラウンに印刷され、浮き出しにされ、塗られ、又は他の方法でつけられる。望ましい実施形態では、整列用印２８は、経線区分５２及び緯線区分５４を含む。一直線印２８の別の実施形態は、緯線区分５４のみを含む。緯線区分は一般的には、０．７５乃至２．０インチの範囲の長さにあり、パター２４のフェイス３９に最も近いクラウン４２上に設けられている。オプションの経線区分５２は、一般的には緯線区分５４と垂直であり、ヘッド端４６及びトゥ端４８の間のパター２４の実質的な中点上のクラウン４２上に適用される。経線区分５２の長さは、パター２４のクラウン４２の幅に従って０．２５乃至２．００インチの範囲にある。
【００１９】
パター一直線印２８の位置は、ゴルファーが、より正確なパットという結果をもたらすべき方法で、パター２４と適切に整列されたゴルフボール２２とを整列することを許容する。ゴルファーは、グリーン上の穴に向ってゴルフボール２２をパットする視覚的な誤りなしに直線的なパットを得るために、パター整列用印２８とゴルフボール整列用印２６とを一直線にすることのみ必要とされる。
【図面の簡単な説明】
【図１】  本発明のパター及びゴルフボールの組合せの平面図である。
【図２】  本発明のゴルフボールの望ましい実施形態の分離された正面図である。
【図３】  図２のゴルフボールの分離された側面図である。
【図４】  図２のゴルフボールの分離された背面図である。
【図５】  本発明のゴルフボールの別の実施形態の分離された正面図である。
【図６】  図５のゴルフボールの分離された側面図である。
【図７】  図５のゴルフボールの分離された背面図である。
【図８】  本発明のゴルフボールの別の実施形態の分離された平面図である。
【図９】  本発明のゴルフボールの別の実施形態の分離された平面図である。
【図１０】  本発明のゴルフボールの別の実施形態の分離された平面図である。
【図１１】  本発明のゴルフボールの別の実施形態の分離された平面図である。
【図１２】  本発明のゴルフボールの拡大概略図である。
【図１３】  本発明のゴルフボールの拡大概略図である。